(57)【要約】【課題】建築用電動シャッター装置において、待機電力の低減を図る。【解決手段】送信機１０および押釦スイッチ２３からの操作信号を入力して開閉機５に出力する操作信号入力装置９に、バッテリ１５からの電力を入力して開閉機５に出力する開閉機用電源回路１４と、該開閉機用電源回路１４の開閉を制御する電源制御手段１７とを設け、操作信号入力装置９に操作信号が入力されてから設定時間のあいだだけ開閉機用電源回路１４を閉じて開閉機５に電源供給し、それ以外は開閉機用電源回路１４を開いて開閉機５への電源供給を遮断する構成にすると共に、操作信号入力装置９に設けられる受信部は、開閉機用電源回路１４が開いているあいだは、受信動作−休止を繰り返す間欠受信を行なう構成にした。【選択図】図２
2014088744.tif 000002
【特許請求の範囲】
【請求項１】
開口部を開閉するシャッターカーテンと、該シャッターカーテンを開閉作動せしめる開閉機と、送信機から送信される操作信号または／および押釦スイッチから出力される操作信号を入力して前記開閉機に出力する操作信号入力装置とを備えてなる建築用電動シャッター装置において、前記操作信号入力装置に、電源からの電力を入力して前記開閉機に出力する開閉機用電源回路と、該開閉機用電源回路の開閉を制御する電源制御手段とを設けると共に、該電源制御手段は、開閉機用電源回路を常時開として開閉機への電源供給を遮断し、操作信号入力装置に操作信号が入力されてから予め設定される設定時間のあいだだけ開閉機用電源回路を閉じて開閉機に電源供給する構成であることを特徴とする建築用電動シャッター装置。
【請求項２】
請求項１において、設定時間は、シャッターカーテンが全閉と全開とのあいだを開閉作動するのに必要な時間として予め設定される時間であることを特徴とする建築用電動シャッター装置。
【請求項３】
請求項１または２において、操作信号入力装置は、送信機からの操作信号を受信する受信部と、該受信部への電力供給を制御する受信部制御手段とを備えると共に、該受信部制御手段は、少なくとも前記開閉機用電源回路が開いているあいだは、受信部が予め設定される所定のデューティ比で受信動作−休止を繰り返すよう間欠的に電力を供給することを特徴とする建築用電動シャッター装置。
【請求項４】
請求項３において、操作信号を送信するべく送信機を操作した場合、該送信機は、受信部の受信動作−休止の一サイクルよりも長い時間のあいだ操作信号を送信するように設定されることを特徴とする建築用電動シャッター装置。
【請求項５】
請求項３または４において、受信部制御手段は、開閉機用電源回路が閉じているあいだは、受信部に常時電力を供給することを特徴とする建築用電動シャッター装置。
【請求項６】
請求項１乃至５の何れか一項において、操作信号入力装置に、開閉機用電源回路が閉じてから開閉機の起動処理が完了するまでの起動準備時間のあいだ、操作信号入力装置に入力された操作信号を保持するメモリ手段を設けたことを特徴とする建築用電動シャッター装置。
【請求項７】
請求項６において、メモリ手段は、起動準備時間のあいだに操作信号入力装置に新たな操作信号が入力された場合には、既に保持している操作信号を新たな操作信号に書き換えて該新たな操作信号を保持することを特徴とする建築用電動シャッター装置。
【請求項８】
請求項１乃至７の何れか一項において、電源制御手段は、開閉機用電源回路が閉じている設定時間のあいだに操作信号入力装置に新たな操作信号が入力された場合には、該新たな操作信号が入力されてから前記設定時間のあいだ開閉機用電源回路を閉じる一方、設定時間内に新たな操作信号が入力されない場合には、開閉機用電源回路を開くことを特徴とする建築用電動シャッター装置。
【発明の詳細な説明】
【技術分野】
【０００１】
本発明は、建物の開口部に建付けられる建築用電動シャッター装置の技術分野に関するものである。
【背景技術】
【０００２】
一般に、建築用電動シャッター装置は、押釦スイッチからの開閉停（開放、閉鎖、停止）の操作信号に基づいて、或いは、送信機から発せられる開閉停の遠隔操作（リモートコントロール）信号に基づいて開閉機を駆動せしめることで、シャッターカーテンの開閉作動を行なうように構成されている。このような電動シャッター装置において、開閉機には、シャッターカーテンの停止（待機）時においても常時電源供給されているため、待機電力を消費するという問題がある。特に、シャッターカーテンの開閉作動を送信機からの操作信号で行うようにしたものにおいては、従来、送信機からの操作信号を受信する受信機と、該受信した操作信号に基づいてシャッターカーテンを開閉せしめる開閉機とに対し、並列接続される関係で電源供給をしており、このため、開閉機だけでなく受信機においても待機電力を消費することになる。そして、例えば、建物の窓に建付けられる窓シャッターの多くは、一日のうち殆どが待機状態となっていて開閉動作時間は数分しかなく、このため、総消費電力のうちの大部分を待機電力が占めており、該待機電力が省エネルギー化の妨げになっている。
また、近年、建築用電動シャッター装置においても、太陽電池とバッテリとを用いたソーラーシステムの導入が試みられている（例えば、特許文献１参照。）が、該ソーラーシステムのように容量が限られたバッテリを電源とする場合、待機電力による電力消費が大きいと発電容量、バッテリ容量を共に大きくしなければならず、ソーラーシステム装置が大型化してしまうという問題もある。
そこで、待機電力の消費を抑えるための技術として、電動ブラインドにおいて、省エネモードにした場合に、ブラインドを駆動する駆動モータ、および該駆動モータの動作を制御するモータ制御部への電源供給を遮断するように構成したものが知られている（特許文献２参照）。
【先行技術文献】
【特許文献】
【０００３】
【特許文献１】特開平７−１０２８６６号公報
【特許文献２】特開２０１１−８９３３３号公報
【発明の概要】
【発明が解決しようとする課題】
【０００４】
しかしながら前記特許文献２のものは、指令元（操作スイッチ若しくは中央制御装置）の操作により出力される指令信号に基づいて通常モードと省エネモードとのモード切換えを行なうと共に、省エネモードのときのみ駆動モータおよびモータ制御部への電源供給を遮断するように構成されている。このため、指令元のモード切換え操作がいちいち必要であって煩わしいばかりか、ブラインドが停止（待機）中であるにもかかわらず指令元が省エネモードへのモード切換え操作を怠ると、駆動モータおよびモータ制御部に電源供給されて待機電力を消費するという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部を開閉するシャッターカーテンと、該シャッターカーテンを開閉作動せしめる開閉機と、送信機から送信される操作信号または／および押釦スイッチから出力される操作信号を入力して前記開閉機に出力する操作信号入力装置とを備えてなる建築用電動シャッター装置において、前記操作信号入力装置に、電源からの電力を入力して前記開閉機に出力する開閉機用電源回路と、該開閉機用電源回路の開閉を制御する電源制御手段とを設けると共に、該電源制御手段は、開閉機用電源回路を常時開として開閉機への電源供給を遮断し、操作信号入力装置に操作信号が入力されてから予め設定される設定時間のあいだだけ開閉機用電源回路を閉じて開閉機に電源供給する構成であることを特徴とする建築用電動シャッター装置である。
請求項２の発明は、請求項１において、設定時間は、シャッターカーテンが全閉と全開とのあいだを開閉作動するのに必要な時間として予め設定される時間であることを特徴とする建築用電動シャッター装置である。
請求項３の発明は、請求項１または２において、操作信号入力装置は、送信機からの操作信号を受信する受信部と、該受信部への電力供給を制御する受信部制御手段とを備えると共に、該受信部制御手段は、少なくとも前記開閉機用電源回路が開いているあいだは、受信部が予め設定される所定のデューティ比で受信動作−休止を繰り返すよう間欠的に電力を供給することを特徴とする建築用電動シャッター装置である。
請求項４の発明は、請求項３において、操作信号を送信するべく送信機を操作した場合、該送信機は、受信部の受信動作−休止の一サイクルよりも長い時間のあいだ操作信号を送信するように設定されることを特徴とする建築用電動シャッター装置である。
請求項５の発明は、請求項３または４において、受信部制御手段は、開閉機用電源回路が閉じているあいだは、受信部に常時電力を供給することを特徴とする建築用電動シャッター装置である。
請求項６の発明は、請求項１乃至５の何れか一項において、操作信号入力装置に、開閉機用電源回路が閉じてから開閉機の起動処理が完了するまでの起動準備時間のあいだ、操作信号入力装置に入力された操作信号を保持するメモリ手段を設けたことを特徴とする建築用電動シャッター装置である。
請求項７の発明は、請求項６において、メモリ手段は、起動準備時間のあいだに操作信号入力装置に新たな操作信号が入力された場合には、既に保持している操作信号を新たな操作信号に書き換えて該新たな操作信号を保持することを特徴とする建築用電動シャッター装置である。
請求項８の発明は、請求項１乃至７の何れか一項において、電源制御手段は、開閉機用電源回路が閉じている設定時間のあいだに操作信号入力装置に新たな操作信号が入力された場合には、該新たな操作信号が入力されてから前記設定時間のあいだ開閉機用電源回路を閉じる一方、設定時間内に新たな操作信号が入力されない場合には、開閉機用電源回路を開くことを特徴とする建築用電動シャッター装置である。
【発明の効果】
【０００６】
請求項１の発明とすることにより、開閉機の消費する待機電力を大幅に低減することができて、省エネルギー化に大きく貢献できる。
請求項２の発明とすることにより、待機電力の大幅な低減を確実に達成できる。
請求項３の発明とすることにより、操作信号入力装置で消費する待機電力も大幅に低減できることになって、更なる省エネルギー化に貢献できる。
請求項４の発明とすることにより、受信部が間欠的に受信していても、送信機から送信された操作信号を確実に受信することができる。
請求項５の発明とすることにより、開閉機に電源供給されている状態では間欠受信による応答遅れをなくすことができる。
請求項６の発明とすることにより、起動処理が完了しない状態で開閉機に操作信号が入力されることに起因する誤作動の発生を、確実に回避することができる。
請求項７の発明とすることにより、起動準備時間のあいだに送信機或いは押釦スイッチが新たに操作されても、該新たな操作に対応したシャッターカーテンの開閉作動を行うことができる。
請求項８の発明とすることにより、設定時間内に新たな操作信号が入力されても、該新たな操作信号に基づくシャッターカーテンの開閉作動を完了させることができる。
【図面の簡単な説明】
【０００７】
【図１】建築用電動シャッター装置の正面図である。
【図２】建築用電動シャッター装置の制御部分の構成を示すブロック図である。
【図３】操作信号入力装置の制御手順を示すフローチャート図である。
【発明を実施するための形態】
【０００８】
以下、本発明の実施の形態について、図面に基づいて説明する。
図面において、１は建物の出入口や窓等の開口部に建付けられる建築用電動シャッター装置であって、該建築用電動シャッター装置１を構成するシャッターカーテン２は、開口部の上方に配された巻取ドラム３に巻き取られ巻き出されることで、開口部の両側に立設されたガイドレール４にガイドされる状態で上下動して開口部を開閉するようになっている等の基本的構成は何れも従来通りである。
【０００９】
さらに、５は前記シャッターカーテン２を開閉作動させるべく巻取ドラム３に連動連結される開閉機であって、該開閉機５は、駆動モータ６と、減速機７と、駆動モータ６の開閉駆動制御を行なうモータ制御部８とを備えて構成されている。そして、該開閉機５への電源供給は、後述するように操作信号入力装置（受信機）９を経由して行なわれると共に、操作信号入力装置９から出力される操作信号がモータ制御部８に入力されることで、該操作信号に基づいた駆動モータ６の開閉駆動制御が行なわれるように構成されている。
【００１０】
前記操作信号入力装置９は、遠隔操作用の送信機（リモートコントローラ）１０から送信された操作信号を受信するアンテナ１１を備えると共に、該アンテナ１１の受信を制御するサブ制御部１２、後述するメイン制御部１３、開閉機用電源回路１４等を備えて構成されている。尚、前記アンテナ１１およびサブ制御部１２は本発明の受信部を構成する。
【００１１】
また、前記送信機１０は、開放用操作スイッチＰＢＵ、閉鎖用操作スイッチＰＢＤ、停止用操作スイッチＰＢＳの各スイッチを備えたものであって、該送信機１０から送信された操作信号が前記操作信号入力装置９に受信されて該操作信号入力装置９から開閉機５のモータ制御部８に出力されることで、送信機１０のスイッチ操作に基づいた駆動モータ６の開閉駆動制御が行なわれるようになっている。
【００１２】
さらに、前記操作信号入力装置９は、ガードレール４に隣接して設置された押釦スイッチ２３に電気的に接続されている。該押釦スイッチ２３は、開放用操作スイッチＰＢＵ、閉鎖用操作スイッチＰＢＤ、停止用操作スイッチＰＢＳの各スイッチを備えた従来通りのものであり、そして、該押釦スイッチ２３から出力された操作信号が前記操作信号入力装置９に入力されて該操作信号入力装置９から開閉機５のモータ制御部８に出力されることで、押釦スイッチ２３のスイッチ操作に基づいた駆動モータ６の開閉駆動制御が行なわれるようになっている。
【００１３】
一方、前記操作信号入力装置９に設けられる開閉機用電源回路１４は、建築用電動シャッター装置１に電源として装備されるバッテリ１５からの電力を入力して前記開閉機５に出力する回路であって、該開閉機用電源回路１４には開閉スイッチ１６が配されている。該開閉スイッチ１６は、メイン制御部１３に設けられる電源制御手段１７からの指令信号に基づいて開閉機用電源回路１４を開閉するように構成されており、そして、該開閉機用電源回路１４が閉じている状態では、バッテリ１５からの電力が開閉機５に供給されることでモータ制御部８が起動すると共に、該モータ制御部８の制御に基づいて駆動モータ６を駆動させることができるが、開閉機用電源回路１４が開いている状態では、バッテリ１５から開閉機５への電源供給が遮断されてモータ制御部８が起動せず、該モータ制御部８の制御に基づく駆動モータ６の駆動を行なうことができないと共に、開閉機５が消費する待機電力をなくすことができるようになっている。
【００１４】
ここで、前記開閉機５は、前述したように開閉機用電源回路１４が開くことにより電源供給が遮断されるが、該電源供給が遮断された状態でもシャッタカーテン２の位置、ストローク等の情報を保持しておくことができるように、開閉機５のモータ制御部８には上記情報を記憶する不揮発性のメモリ（例えばＥＥＰＲＯＭ 、図示せず）が設けられている。
また、前記バッテリ１５は、本実施の形態では、太陽電池１８で発生した電力によって充電される構成になっていて、省エネルギー化が図られているが、他の電源、例えば商用電源を用いたものであっても、本発明を実施できることは勿論である。尚、１９はバッテリ１５と操作信号入力装置９との間に設けられた電源投入用の電源スイッチ（コネクタ）である。
【００１５】
一方、前記操作信号入力装置９のメイン制御部１３には、バッテリ１５からの電力が入力されると共に、前記電源制御手段１７および信号制御手段２０が設けられている。
前記信号制御手段２０は、アンテナ１１で受信した送信機１０からの操作信号、および押釦スイッチ２３から入力される操作信号を前記開閉機５に出力するための制御を行なうと共に、前記サブ制御部１２への電力供給を制御するサブ制御部制御手段（本発明の受信部制御手段に相当する）２１と、操作信号を保持するためのメモリ手段２２とを備えている。
【００１６】
次に、前記操作信号入力装置９に設けられる各制御手段の行なう制御について、図３に示すフローチャート図に基づいて説明する。ここで、操作信号入力装置９は、電源スイッチ１９をＯＮして電源供給されると、まず、送信機１０の固有コードを登録するための登録可能モードとなり、該登録可能モード中に所定の信号が送信機１０から送信された場合に登録モードが起動する。そして、前記登録可能モード或いは登録モードの解除後に、送信機１０或いは押釦スイッチ２３からの操作信号に基づいて駆動モータ６の開閉駆動制御を行なう通常モードに移行するが、前記登録可能モードおよび登録モードについての説明は省略し、通常モードにおける制御について説明する。尚、通常モードにおいて、送信機１０が操作された場合の制御と、押釦スイッチ２３が操作された場合の制御とは同様であるが、まず、送信機１０が操作された場合の制御について説明する。
【００１７】
前記通常モードがスタートすると、操作信号入力装置９のメイン制御部１３は、まず、待機状態制御を実行する（ステップＳ１）。
該待機状態制御において、電源制御手段１７は、開閉スイッチ１６に対して開閉機用電源回路１４を常時開くように指令信号を出力する。これにより、バッテリ１５から開閉機５への電源供給が遮断されて、開閉機５が待機電力を消費しないようになっている。
【００１８】
さらに、前記待機状態制御において、サブ制御部制御手段２１は、サブ制御部１２に対し、該サブ制御部１２が予め設定される所定のデューティ比で受信動作−休止を繰り返すように間欠的に電力を供給する。これにより、サブ制御部１２は、送信機１０からの送信を間欠的に受信する間欠受信状態（スリープモード状態）になる。前記デューティ比は、受信動作時間に対して休止時間が長くなるように設定されている（例えばデューティ比を１／１０に設定し、受信動作時間０．０５秒、休止時間０．４５秒に設定する）。これにより、サブ制御部１２で消費する待機電力を、大幅に低減することができる。
【００１９】
ここで、前記送信機１０は、操作信号を送信するべく送信機１０のスイッチを操作した場合に、前記サブ制御部１２の受信動作−休止の一サイクルよりも少し長い所定時間Ｔ１のあいだ（例えば、受信動作−休止の一サイクルが０．５秒の場合、該０．５秒よりも長い０．７秒程度）操作信号を送信するように設定されている。これにより、サブ制御部１２が前記間欠受信状態になっていても、送信機１０から送信された操作信号を確実に受信できるようになっている。尚、送信機１０のスイッチが前記所定時間Ｔ１よりも長い時間操作された場合には、該スイッチ操作されているあいだ送信機１０から操作信号が出力されるようになっている。
【００２０】
さらに、メイン制御部１３は、前記待機状態制御の実行中に、送信機１０からの操作信号を受信したか否かを常時判断する（ステップＳ２）。そして、該ステップＳ２の判断で「ＮＯ」、つまり、操作信号を受信していないと判断された場合には、待機状態制御が続行される。
【００２１】
一方、前記ステップＳ２の判断で、「ＹＥＳ」、つまり、操作信号を受信したと判断された場合、電源制御手段１７は、開閉スイッチ１６に対して開閉機用電源回路１４を閉じるように指令信号を出力する（ステップＳ３）。これにより、バッテリ１５から開閉機５に電力が供給される。
【００２２】
さらに、前記ステップＳ２の判断で、「ＹＥＳ」、つまり、操作信号を受信したと判断された場合、サブ制御部制御手段２１は、サブ制御部１２に対して前記間欠受信状態を解除するべく常時電力を供給する（ステップＳ４）。これにより、サブ制御部１２は、送信機１０からの操作信号を常時受信する常時受信状態になり、而して、送信機１０からの操作信号が応答送れなく信号制御手段２０に入力される。
【００２３】
前記ステップＳ３およびステップＳ４の処理後、続けてメイン制御部１３は、開閉機用電源回路１４を閉じてから（開閉スイッチ１６が開から閉になってから）予め設定される起動準備時間Ｔ２が経過したかを判断する（ステップＳ５）。
【００２４】
前記ステップＳ５の判断で、「ＮＯ」、つまり、開閉機用電源回路１４を閉じてから起動準備時間Ｔ２（例えば１秒程度）が経過していないと判断された場合には、起動準備制御（ステップＳ６）が実行される。ここで、前記起動準備時間Ｔ２は、開閉機５に電源供給されてから起動処理が完了して安定化するまでに必要な時間として予め設定される。
【００２５】
前記起動準備制御において、信号制御手段２０は、送信機１０から送信されて受信した操作信号を、メモリ手段２２に保持する。また、起動準備制御の実行中、つまり起動準備時間Ｔ２のあいだに送信機１０から新たな操作信号を受信した場合には、既に保持している操作信号を新たな操作信号に書き換えて該新たな信号を保持する。そして、該起動準備制御は、開閉機用電源回路１４を閉じてから起動準備時間Ｔ２のあいだ、続行される。
【００２６】
一方、前記ステップＳ５の判断で、「ＹＥＳ」、つまり、開閉機用電源回路１４を閉じてから起動準備時間Ｔ２が経過していると判断された場合、通電状態制御（ステップＳ７）に移行する。
【００２７】
前記通電状態制御に移行すると、信号制御手段２０は、まず、メモリ手段２２に保存されている操作信号を開閉機５のモータ制御部８に出力し、その後メモリ手段２２に保存されているデータをクリアする。さらに、通電状態制御において、信号制御手段２０は、送信機１０からの操作信号を受信した場合には、メモリ手段２２に保存することなく、該操作信号を開閉機５のモータ制御部８に出力する。これにより、メモリ手段２２に保存されている操作信号、或いは送信機１０から送信された操作信号に基づいた駆動モータ６の開閉駆動制御が行なわれるようになっている。
【００２８】
前記通電状態制御は、開閉機用電源回路１４が閉じてから予め設定される設定時間Ｔ３のあいだ実行されるが、該設定時間Ｔ３のあいだに送信機１０から新たな操作信号を受信した場合には、該新たな信号を受信してから前記設定時間Ｔ３のあいだ実行され、設定時間Ｔ３内に新たな操作信号を受信しない場合には、前記待機状態制御に移行する。
【００２９】
つまり、メイン制御部１３は、通電状態制御の実行中に、最新の操作信号（通常状態制御の実行中に新たな操作信号を受信していない場合には、メモリ手段２２に保存されている操作信号が最新の操作信号）を受信してから設定時間Ｔ３が経過しているか否かを判断（ステップＳ８）し、該判断で「ＮＯ」、つまり、最新の操作信号を受信してから設定時間Ｔ３が経過していないと判断された場合には、通電状態制御を続行する。一方、「ＹＥＳ」、つまり、最新の操作信号を受信してから設定時間Ｔ３が経過していると判断された場合には、待機状態制御に移行する。
【００３０】
ここで、前記設定時間Ｔ３は、シャッターカーテン２が全閉と全開とのあいだを開閉作動するのに必要な時間として予め設定される時間であって、本実施の形態では、シャッターカーテン２の開閉作動に実際に要する時間に若干の余裕をプラスした時間が設定されている（例えば、開閉作動の実際の所要時間を５０秒とすると、設定時間Ｔ３をこれよりも長い時間、例えば６５秒に設定する）。これにより、最新の操作信号を受信してから設定時間Ｔ３の経過後に待機状態制御に移行して開閉機５への電源供給が断たれても、シャッターカーテン２が開閉作動の途中で停止してしまうことを確実に回避できるようになっている。
【００３１】
次いで、押釦スイッチ２３が操作された場合の制御について説明するが、該制御は、前述した送信機１０が操作された場合の制御と同様であるため簡単に説明する。まず、前述した図３のステップＳ１の待機状態制御（開閉機用電源回路１４は常時開とし、サブ制御部１２には間欠的に電力供給）が実行されている状態において、押釦スイッチ２３からの操作信号が操作信号入力装置９に入力されると、前記ステップＳ３およびステップＳ４の処理が行なわれる。つまり、電源制御手段１７は、開閉スイッチ１６に対して開閉機用電源回路１４を閉じるように指令信号を出力し、これにより、開閉機５に電源供給される。また、サブ制御部制御手段２１は、サブ制御部１２に対して常時電力を供給することになって常時受信状態になる。続けて、前記ステップＳ５の判断、つまり、開閉機用電源回路１４を閉じてから前記起動準備時間Ｔ２が経過したかを判断し、起動準備時間Ｔ２が経過していない場合には、前記ステップＳ６の起動準備制御（操作信号をメモリ手段２２に保存）を実行する。一方、開閉機用電源回路１４を閉じてから起動準備時間Ｔ２が経過した場合には、前記ステップＳ７の通電状態制御（操作信号を開閉機５に出力）に移行する。そして、該通電状態制御中において、最新の操作信号が入力されてから設定時間Ｔ３が経過していない場合には、通電状態制御を続行し、最新の操作信号が入力されてから設定時間Ｔ３が経過した場合には、前記待機状態制御に移行する。
【００３２】
叙述の如く構成された本実施の形態において、建築用電動シャッター装置１は、シャッターカーテン２を開閉作動せしめる開閉機５と、送信機１０から送信される操作信号および押釦スイッチ２３から出力される操作信号を入力して上記開閉機５に出力する操作信号入力装置９を備えているが、該操作信号入力装置９には、バッテリ（電源）１５からの電力を入力して前記開閉機５に出力する開閉機用電源回路１４と、該開閉機用電源回路１４の開閉を制御する電源制御手段１７とが設けられていると共に、該電源制御手段１７は、開閉機用電源回路１４を常時開として開閉機５への電源供給を遮断し、操作信号入力装置９に操作信号が入力されてから予め設定される設定時間Ｔ３のあいだだけ開閉機用電源回路１４を閉じて開閉機５に電源供給することになる。
【００３３】
これにより、開閉機５は、操作信号入力装置９に設けられた開閉機用電源回路１４を経由して電源供給されると共に、送信機１０から送信される操作信号或いは押釦スイッチ２３から出力される操作信号が操作信号入力装置９に入力されるまでは電源遮断されており、そして、操作信号が入力されてから設定時間Ｔ３のあいだだけ上記開閉機用電源回路１４が閉じることで電源供給され、設定時間Ｔ３が経過すると開閉機用電源回路１４が開くことで電源遮断されることになる。従って、開閉機５は、操作信号が入力されてから設定時間Ｔ３のあいだ以外は自動的に電源遮断されていることになり、この結果、開閉機５の消費する待機電力を大幅に低減することができて、省エネルギー化に大きく貢献できる。さらに、本実施の形態のように、電源として太陽電池１８で発生した電力によって充電されるバッテリ１５を用いるような場合には、待機電力が低減することによって、太陽電池１８やバッテリ１５の小型化が図れ、コスト低減や省スペース化にも貢献できる。しかも、送信機１０および押釦スイッチ２３からの操作信号が入力される操作信号入力装置９に開閉機用電源回路１４および電源制御手段１７が設けられているため、これらを操作信号入力装置９以外の別箇所に設けようとした場合のように、操作信号入力装置９からの信号を別箇所に送信するための配線を必要とせず、配線の簡略化を図ることができる。
【００３４】
さらに、前記設定時間Ｔ３は、シャッターカーテン２が全閉と全開とのあいだを開閉作動するのに必要な時間が設定されている。これにより、シャッターカーテン２の開閉作動中に電源が遮断されてしまうことを確実に回避できると共に、電源供給時間がシャッターカーテン２の開閉作動に必要な時間に限定されることになって、待機電力の大幅な低減を確実に達成できる。
【００３５】
そのうえこのものにおいて、前記開閉機用電源回路１４の開閉を制御する電源制御手段１７は、開閉機用電源回路１４が閉じている設定時間Ｔ３のあいだに操作信号入力装置９に新たな操作信号が入力された場合には、該新たな操作信号が入力されてから前記設定時間Ｔ３のあいだ開閉機用電源回路１４を閉じる一方、設定時間Ｔ３内に新たな操作信号が入力されない場合には、開閉機用電源回路１４を開く構成であるから、設定時間Ｔ３内に新たな操作信号が入力された場合、例えばシャッターカーテン２の開閉作動中に一時停止させてから短時間のうちに再び作動させるような場合に、一時停止中や再作動中に開閉機５の電源が遮断されてしまうことなく、新たな操作信号に基づくシャッターカーテン２の開閉作動を完了させることができる。
【００３６】
さらにこのものにおいて、操作信号入力装置９は、送信機１０からの操作信号を受信するアンテナ１１および該アンテナ１１の受信を制御するサブ制御部１２（受信部）と、該サブ制御部１２への電力供給を制御するサブ制御部制御手段（受信部制御手段）２１とを備えると共に、該サブ制御部制御手段２１は、少なくとも前記開閉機用電源回路１４が開いているあいだは、予め設定される所定のデューティ比で受信動作−休止を繰り返すようにサブ制御部１２に間欠的に電力を供給する。この結果、操作信号入力装置９のサブ制御部１２で消費する待機電力も大幅に低減できることになって、更なる省エネルギー化に貢献できる。
因みに、本発明を実施した窓シャッターの試作例では、前記開閉機５およびサブ制御部１２の待機電力の低減によって、一日に使用する総消費電力を１／１０程度に削減できることが実証されている。
【００３７】
一方、前記操作信号入力装置９に操作信号を送信する送信機１０は、該送信機１０を操作した場合に、前記サブ制御部１２の受信動作−休止の一サイクルよりも長い所定時間Ｔ１のあいだ操作信号を送信するように設定されている。これにより、操作信号入力装置９の受信部が間欠的に受信していても、送信機１０から送信された操作信号を確実に受信することができる。
【００３８】
また、前記サブ制御部制御手段２１は、開閉機用電源回路１４が閉じているあいだは、サブ制御部１２に常時電力を供給する構成になっており、これにより、開閉機５に電源供給されている状態では間欠受信による応答遅れが生じることなく、而して、例えばシャッターカーテン２の開閉作動中に停止用操作スイッチＰＢＳが操作された場合に、応答遅れすることなく素早くシャッターカーテン２を停止させることができる。
【００３９】
さらにこのものにおいて、操作信号入力装置９には、開閉機用電源回路１４が閉じてから開閉機５の起動処理が完了するまでの起動準備時間Ｔ２のあいだ、送信機１０或いは押釦スイッチ２３からの操作信号を保持するメモリ手段２２が設けられている。これにより、操作信号入力装置９は、開閉機５の起動時に、該開閉機５の起動処理が完了するまでは操作信号をメモリ手段２２に保存しておくことができることになり、この結果、起動処理が完了しない状態で開閉機５に操作信号が入力されることに起因する誤作動の発生を、確実に回避することができる。
【００４０】
しかも、前記メモリ手段２２は、起動準備時間Ｔ２のあいだに操作信号入力装置９に新たな操作信号が入力された場合には、既に保持している操作信号を新たな操作信号に書き換えて該新たな信号を保持する構成になっているから、起動準備時間Ｔ２のあいだに送信機１０或いは押釦スイッチ２３が新たに操作されても、該新たな操作に対応したシャッターカーテン２の開閉作動を行うことができる。
【００４１】
尚、本発明は上記実施の形態に限定されないことは勿論であって、例えば、上記実施の形態では、開閉機用電源回路が閉じているあいだは、受信部に常時電力が供給される構成になっているが、開閉機用電源回路が閉じているあいだも、受信部が受信動作−休止を繰り返す間欠受信を行なう構成にすることもできる。この場合、開閉機用電源回路の閉時に受信部に常時電力が供給される構成にした場合と比して、シャッターカーテンの開閉作動に最大で受信部の休止時間分の応答遅れが生じるが、受信部の待機電力はさらに削減することができる。さらに、開閉機用電源回路が閉じたときに受信部を常時受信状態にする構成のものにおいて、例えば送信機或いは押釦スイッチの停止スイッチが操作されたときには、開閉機用電源回路の閉時であっても、受信部を常時受信状態から間欠受信状態に直ちに切り換える構成することもできる。
【００４２】
また、上記実施の形態では、送信機または押釦スイッチからの操作信号が入力されてから開閉機用電源回路を閉じている設定時間として、シャッターカーテンが全閉と全開とのあいだを開閉作動するのに必要な時間が設定されているが、該設定時間を、送信機または押釦スイッチのスイッチ操作に応じて変更させる構成にすることもできる。例えば、送信機または押釦スイッチに設けられるスイッチを長押しすることで、通常のシャッターカーテンの開放、閉鎖、停止作動とは異なる動作、例えば、上下限位置の設定や出力の設定等の動作を行なうことができるように構成されたものがあるが、この様に通常の動作とは異なる動作を行なう場合には通常の開閉作動のときよりも時間がかかる。そこで、送信機または押釦スイッチのスイッチが長押しされた場合には、開閉機用電源回路を閉じている時間が長くなるように設定時間を変更する構成にすることで、通常の開閉動作とは異なる動作を行なう場合にも対応することができる。また、送信機または押釦スイッチの操作されるスイッチの種類に応じて開閉機用電源回路を閉じる設定時間を変更させるように、例えば、停止スイッチが操作された場合には、開、閉のスイッチが操作された場合よりも設定時間が短くなるように、或いは停止スイッチが操作された場合には開閉機４に停止の操作信号を出力した後に直ちに開閉機用電源回路を閉じるように構成することもできる。
【００４３】
さらに、上記実施の形態において、操作信号入力装置は、送信機から送信される操作信号を受信する受信部を備えた受信機であり、該受信機である操作信号入力装置に、押釦スイッチからの操作信号も入力される構成になっているが、これに限定されることなく、電動シャッター装置に押釦スイッチが設けられておらず、送信機から送信される操作信号のみが入力される構成の操作信号入力装置（受信機）、或いは、電動シャッター装置に送受信機能が設けられておらず、押釦スイッチからの操作信号のみが入力される構成の操作信号入力装置であっても、本発明を同様にして実施できることは勿論である。
【産業上の利用可能性】
【００４４】
本発明は、建物の開口部に建付けられ、送信機または／および押釦スイッチからの操作信号を入力して開閉機に出力する操作信号入力装置を備えた建築用電動シャッター装置に利用することができる。
【符号の説明】
【００４５】
１    建築用電動シャッター装置
２    シャッターカーテン
５    開閉機
９    操作信号入力装置
１０  送信機
１１  アンテナ
１２  サブ制御部
１３  メイン制御部
１４  開閉機用電源回路
１７  電源制御手段
２０  信号制御手段
２１  サブ制御部制御手段
２２  メモリ手段
２３  押釦スイッチ
【図１】
2014088744.tif 000003
【図２】
2014088744.tif 000004
【図３】
2014088744.tif 000005